(57)【要約】
【課題】コネクタの素子を容易に取り外すことができるコネクタ用取り外しツールを提供する。
【解決手段】取り外しツールを使うコネクタはマザーボードに電気的に半田付けされ、且つ、薄片モジュールに電気的に接続され、方形の本体を有し、本体の相対する角端にそれぞれ両突起部が設けられ、突起部とマザーボードの間に一定の距離が隔てられ、また、どの突起部にも貫通穴が設けられ、貫通穴内に金属スピゴットが装着され、金属スピゴットが突起部の底面に係合され、本考案の取り外しツールは金属スピゴットを取り外すことに使われる。取り外しツールは支持基盤と作動レバーとを備え、金属スピゴットを取り外す過程の中で、取り外しツールの支持基盤は本体の突起部とマザーボードの間のスペースに取り付けられ、作動の押し力によって金属スピゴットと本体の係合を取り外し、その後、作動レバーは金属スピゴットを貫通し、且つ、本体の貫通穴から抜き出させる。
【選択図】図２
0003101496.tif 000002
【実用新案登録請求の範囲】
【請求項１】
ベースとベースから伸びて設けられた押圧塊を有する支持基盤と、
連レバーと連レバーの両端から伸びて設けられた力加え端及び作動端とを有し、前記作動端の径方向の幅が連レバーの径方向の幅より大きい作動レバーと、
を備えていることを特徴とするコネクタ用取り外しツール。
【請求項２】
支持基盤はベースの押圧塊が設けられた側の反対側にプラットホームが設けられていることを特徴とする請求項１に記載のコネクタ用取り外しツール。
【請求項３】
前記プラットホームには前記プラットホームを貫通するリード穴が設けられていることを特徴とする請求項２に記載のコネクタ用取り外しツール。
【請求項４】
前記押圧塊は、それぞれが隔てられた二つの部分で構成され、且つ、どの押圧塊の末端にも斜面が設けられていることを特徴とする請求項３に記載のコネクタ用取り外しツール。
【請求項５】
前記取り外しツールには、さらに作動レバーに取り付けられる補助レバーが設けられていることを特徴とする請求項４に記載のコネクタ用取り外しツール。
【考案の詳細な説明】
【技術分野】
【０００１】
本考案はコネクタ用取り外しツールに関し、特に、コネクタの素子を速く取り外すことができる便利なコネクタ用取り外しツールに関するものである。
【背景技術】
【０００２】
複数の能動素子と受動素子からなる回路の中の、電子回路パッケージング例えば集積回路モジュールが小型化する中で、使用過程の安全性と信頼性を保証するために、ほとんどの集積回路モジュールは、取り付けられる前に、必ずチェックされる。集積回路モジュールを高温で長い時間運転し、欠点のある集積回路モジュールを選別し、チェックにパスした集積回路モジュールを電子ターミナル産品に半田付けまたは装着すれば、安全に使用でき、失効が早くなることはない。通常、集積回路モジュールがチェック板に電気的に接続されて、且つ高温で運転されるように、チェック用のソケットコネクタ内に収容される。
【０００３】
前記ソケットコネクタは、複数の導電端子が設けられた絶縁本体を一般に備え、前記絶縁本体の二つの相対する角端にそれぞれ突起部が設けられ、どの突起部にも貫通穴を有し、前記貫通穴内に金属スピゴットが挿入され且つ係止される（前記コネクタの機構は図１を参照せよ）。集積回路モジュールをチェックする過程における集積回路モジュールとチェック用のコネクタとの間の良好な電気的接続を保証するために、圧力を加える必要がある。前記圧力は、コネクタに装着された圧板によって提供される。圧板が集積回路モジュールに圧力を加える方向を保証するために、圧板には前記金属スピゴットと結合して方向を確定させるリード柱が設けられるが、何度も使われると、前記金属スピゴットが圧板のリード柱との摩擦で損壊されるので、取り替える必要がでてくる。このとき、チェックコネクタがチェック回路に半田付けされ、且つ、金属スピゴットが貫通穴に係合されているので、金属スピゴットが取り外しにくい。従来の技術では、金属スピゴットの係合機構を切り取って、本体との係合を破壊させ、その後、貫通穴から抜き出し、且つ、新たな金属スピゴットに取り替える。しかし、突起部とチェック板の間のスペースが有限であるので、係合機構を切り取るのがかなり困難で、また、係合が切り取られても金属スピゴットは貫通穴の中に残るので、力を加えにくくて、抜き出すのが困難で、操作が極めて不便で、チェックの継続が妨害される。それで、前記の欠点を克服するための取り外し用ツールを提供することが必要である。
【考案の開示】
【考案が解決しようとする課題】
【０００４】
本考案は、コネクタの素子を容易に取り外すことができ、且つ、操作が便利なコネクタ用取り外しツールを提供することを目的とする。
【課題を解決するための手段】
【０００５】
本考案は、コネクタ用取り外しツールに関し、前記取り外しツールを使うコネクタはマザーボードと電気的に接続されるように半田付けされ、且つ、薄片モジュールに電気的に接続され、四方の本体を有し、前記本体の相対する角端にそれぞれ両突起部が設けられ、突起部とマザーボードの間に一定の距離が隔てられ、また、どの突起部にも貫通穴が設けられ、貫通穴の内に金属スピゴットが装着され、前記金属スピゴットが突起部の底面に係合され、本考案の取り外しツールは前記金属スピゴットを取り外すことに使われる。前記取り外しツールは支持基盤と作動レバーとを備え、金属スピゴットを取り外す過程の中で、取り外しツールの支持基盤は本体の突起部とマザーボードの間のスペースに取り付けられ、作動の押し力によって金属スピゴットと本体の係合を取り外し、その後、作動レバーは金属スピゴットを貫通し、且つ、本体の貫通穴から抜き出される。
【考案の効果】
【０００６】
従来の技術に比較して、本考案は以下の効果を有する。取り外しツールによってコネクタの素子を取り外す際に、操作のスペースに制限されない。且つ、コネクタの素子を便利で速く取り外すことができ、チェックの効率を高めさせる。
【考案を実施するための最良の形態】
【０００７】
図１と図２を参照すると、本考案はコネクタ１０の素子を取り外すことに使われる取り外しツール２０である。本考案と相関するコネクタ１０は集積回路モジュール（図示せず）をチェック回路基板（図示せず）に電気的に接続することに使われ、本体１００を有し、本体１００の相対する両角端に突起部１０００がそれぞれ設けられ、どの突起部１０００でも回路基板との間に一定の距離を有し、すなわち、突起部１０００とチェック回路基板の間にスペース１００４があらかじめ設けられ、どの突起部１０００にも貫通穴１００２が設けられ、且つ、どの貫通穴１００２にも金属スピゴット１２を収容する。金属スピゴット１２は前記金属スピゴット１２を貫通するスルーホール１２０と、金属スピゴット１２の底部に設けられる係合鉤１２２とを有し、金属スピゴット１２が貫通穴１００２内に収容される時、前記係合鉤１２２は貫通穴１００２の底部に係合される。
【０００８】
集積回路モジュールをチェックする過程での、集積回路モジュールとチェック用のコネクタ１０の間の良好な電気的接続を保証するためには、圧力を加える必要がある。前記圧力はコネクタ１０に装着される圧板（図示せず）によって提供される。圧板が集積回路モジュールに圧力を加える方向を保証するために、圧板には前記金属スピゴット１２に結合して方向を確定させるリード柱が設けられる。何度も使われると、前記金属スピゴット１２は圧板のリード柱（図示せず）との摩擦で損壊されるので、取り替える必要がでてくる。金属スピゴット１２を取り外す過程とプロセスは、本考案の取り外しツールによって完成するのであって、詳しい説明は以下のとおりである。
【０００９】
本考案の取り外しツール２０は支持基盤２２と、作動レバー２４とを備え、力を便利に加えるために考案を実施するための最良の形態の中で、前記取り外しツール２０は補助レバー２６を有する。支持基盤２２はブロック状のベース２２０と、ベース２２０の一側から伸びて設けられるプラットホーム２２２と、ベース２２０のもう一側から伸びて設けられる平行な両押圧塊２２４と、を備え、どの押圧塊２２４の前端にも斜面２２４１が設けられ、また、支持基盤２２のプラットホーム２２２に前記プラットホーム２２２を貫通するリード穴２２２１が設けられる。押圧塊２２４の高さは本体１００の突起部１０００とチェック回路基板の間の距離にほぼ等しいが、両押圧塊２２４の間の距離は金属スピゴット１２の係合鉤１２２の間の距離より小さい。作動レバー２４は力加え端２４１と、作動端２４４と、前記力加え端２４１と作動端２４４を連続する連レバー２４２と、を備える。力加え端２４１の径方向の幅は作動端２４４の径方向の幅より大きいが、作動端２４４の径方向の幅は連レバー２４２の径方向の幅より大きい。また、支持基盤２２に対して、作動レバー２４の力加え端２４１の径方向の幅は支持基盤２２のプラットホーム２２２のリード穴２２２１の直径より大きいが、作動端２４４の径方向の幅はリード穴２２２１の直径より小さい。金属スピゴット１２に対して、作動レバー２４の作動端２４４の径方向の幅は金属スピゴット１２のスルーホール１２０の直径より小さい。補助レバー２６は作動レバー２４の力加え端２４１に取り付けられる。
【００１０】
図２〜図７を参照すると、取り外しツール２０を使って金属スピゴット１２を取り外す時には、先に支持基盤２２の押圧塊２２４を方向Ａに沿ってスペース１００４内に押し込む。押す過程の中で、両押圧塊２２４の間の距離が金属スピゴット１２の貫通穴１００２に係合する係合鉤１２２の距離より小さいので、押圧塊２２４が係合鉤を押して、貫通穴１００２の係合を抜き出させ、そして、作動レバー２４が支持基盤２２のプラットホーム２２２のリード穴２２２１を通じて、金属スピゴット１２の貫通穴１２０を挿し、作動レバー２４の作動端２４４が金属スピゴット１２の貫通穴１２０の底面に係合される。作動レバー２４の力加え端２４１に補助レバー２６を挿し入れ、補助レバー２６に力を加えて、チェック回路基板から離れる方向に向けて、金属スピゴット１２を抜き出す。全部の過程は従来の技術に比べて便利で且つ操作しやすい。
【００１１】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００１２】
本考案はコネクタ用取り外しツールに関し、特に、コネクタの素子を速く取り外すことができる便利なコネクタ用取り外しツールに関するものである。
【図面の簡単な説明】
【００１３】
【図１】本考案のコネクタ用取り外しツールに関するコネクタの分解斜視図である。
【図２】本考案のコネクタ用取り外しツールの分解斜視図である。
【図３】本考案のコネクタ用取り外しツールの支持基盤がコネクタに取り付けられる前を示す図である。
【図４】図３の反対の角度からの斜視図である。
【図５】本考案のコネクタ用取り外しツールの支持基盤がコネクタに取り付けられた後であって、且つ作動レバーを支持基盤に取り付ける前を示す図である。
【図６】本考案のコネクタ用取り外しツールがコネクタに取り付けられた後を示す図である。
【図７】本考案のコネクタ用取り外しツールによって金属スピゴットを貫通穴から抜き出した後を示す図である。
【符号の説明】
【００１４】
１０  コネクタ
１２  金属スピゴット
２０  取り外しツール
２２  支持基盤
２４  作動レバー
２６  補助レバー
１００  本体
１２０  スルーホール
１２２  係合鉤
２２０  ベース
２２２  プラットホーム
２２４  押圧塊
２４１  力加え端
２４２  連レバー
２４４  作動端
１０００  突起部
１００２  貫通穴
２２２１  リード穴
２２４１  斜面
【図１】
0003101496.tif 000003
【図２】
0003101496.tif 000004
【図３】
0003101496.tif 000005
【図４】
0003101496.tif 000006
【図５】
0003101496.tif 000007
【図６】
0003101496.tif 000008
【図７】
0003101496.tif 000009